(57)【要約】【課題】刺繍枠に展張した加工布の展張保持力をより増大させるための布挟持用クリップを、容易に着脱できるようにし、小型・軽量化し、刺繍縫製範囲を減少させないようにする。【解決手段】布挟持用クリップ１０は、外枠２に着脱自在に装着される板バネ部材１１と、この板バネ部材１１に設けられ加工布のうち外枠２と内枠３との間から上側へ延びる部分を内枠３に押圧する為の付勢部１２とを備えている。板バネ部材１１は、外枠２の下端部に外側から係合する第１係合部１４と、第１係合部１４から上側へ立ち上がる第１板片部１５と、第１板片部１５の上端部の屈曲部から外枠２の内側へ向かって下り傾斜し且つ付勢部１２が設けられた第２板片部１６と、第２板片部１６に形成され外枠２の上部に内側から係合する第２係合部１７とを有する。【選択図】  図８
2005287573.tif 000002
【特許請求の範囲】
【請求項１】
外枠と、この外枠に内嵌されて外枠との間に加工布を挟持可能な内枠とを備えた刺繍枠に用いる布挟持用のクリップにおいて、
前記外枠に着脱自在に装着される板バネ部材と、この板バネ部材に設けられ加工布のうち外枠と内枠との間から上側へ延びる部分を内枠に押圧する為の付勢部とを備え、
前記板バネ部材は、外枠の下端部に外側から係合する第１係合部と、第１係合部から上側へ立ち上がる第１板片部と、第１板片部の上端部の屈曲部から外枠の内側へ向かって下り傾斜し且つ前記付勢部が設けられた第２板片部と、第２板片部に形成され外枠の上部に内側から係合する第２係合部とを有することを特徴とする布挟持用クリップ。
【請求項２】
前記付勢部の押圧方向が、第２板片部の傾斜方向と平行で且つ鉛直方向に対して鋭角となるように構成したことを特徴とする請求項１に記載の布挟持用クリップ。
【請求項３】
前記付勢部により内枠の上端のうちの外側稜線部に加工布を押圧するように構成したことを特徴とする請求項２に記載の布挟持用クリップ。
【請求項４】
前記外枠の上部の内面が内側へ向かって下り傾斜する傾斜面に形成され、
前記板バネ部材の第１板片部の一部が外枠の外面に当接し、第２板片部の一部が外枠の傾斜面に当接するように構成したことを特徴とする請求項１〜３の何れかに記載の布挟持用クリップ。
【請求項５】
前記外枠の下端部に係合凹部が形成されており、前記第１係合部は外枠の下端面より突出しないように前記係合凹部に係止されることを特徴とする請求項１〜４の何れかに記載の布挟持用クリップ。
【請求項６】
前記付勢部が弾性線材を曲げて構成したバネ部材からなり、そのバネ部材が第２板片部に装着されたことを特徴とする請求項１〜５の何れかに記載の布挟持用クリップ。
【請求項７】
前記バネ部材の一部が第２板片部から下方へ突出して加工布を内枠に押圧する押圧部に構成されたことを特徴とする請求項６に記載の布挟持用クリップ。
【請求項８】
前記板バネ部材にバネ部材を位置決めする為の位置決め部を設けたことを特徴とする請求項７に記載の布挟持用クリップ。
【請求項９】
外枠と、この外枠に内嵌されて外枠との間に加工布を挟持可能な内枠とを備えた刺繍枠に用いる布挟持用のクリップにおいて、
前記クリップは、外枠と内枠とに亙って着脱自在に装着され、加工布のうち外枠と内枠との間から上側へ延びる部分を内枠に押圧する為の板バネで構成され、
前記外枠の下端部に外側から係合する第１係合部と、第１係合部から上側へ立ち上がる第１板片部と、第１板片部の上端部の屈曲部から外枠の内側へ延びる第２板片部と、第２板片部の先端部に設けられ内枠の上部に形成された段部に係合すると共に加工布を内枠に押圧する第２係合部とを有することを特徴とする布挟持用クリップ。
【請求項１０】
前記外枠の下端部に係合凹部が形成されており、前記第１係合部は外枠の下端面より突出しないように前記係合凹部に係止されることを特徴とする請求項９に記載の布挟持用クリップ。
【請求項１１】
外枠と、この外枠に内嵌されて外枠との間に加工布を挟持可能な内枠とを備えた刺繍枠に用いる布挟持用のクリップにおいて、
前記外枠に着脱自在に装着される装着部材と、
前記装着部材に取り付けられ、内枠の上面の外側稜線を含む外周面を圧縮する方向に付勢して押圧する押圧部材と、からなることを特徴とする布挟持用クリップ。
【請求項１２】
前記装着部材は、前記外枠への装着状態において、前記外枠外周側面と略同一面になるように前記外枠外周側面に当接する当接部を備えることを特徴とする請求項１１に記載の布挟持用クリップ。
【請求項１３】
前記装着部材は、前記外枠への装着状態において、前記外枠下面と略同一面になるように前記外枠下面に係止される係止部を備えることを特徴とする請求項１１又は１２に記載の布挟持用クリップ。
【請求項１４】
前記装着部材は、弾性変形可能な弾性部材であることを特徴とする請求項１１〜１３の何れかに記載の布挟持用クリップ。
【請求項１５】
前記弾性部材は、板バネ部材であることを特徴とする請求項１４に記載の布挟持用クリップ。
【請求項１６】
前記装着部材と前記押圧部材の少なくとも一方に、前記押圧部材を前記装着部材に対して組み付ける位置を決める為の位置決め部を形成したことを特徴とする請求項１１〜１５の何れかに記載の布挟持用クリップ。
【請求項１７】
前記押圧部材は、弾性変形可能な弾性部材であることを特徴とする請求項１１〜１６の何れかに記載の布挟持用クリップ。
【請求項１８】
前記弾性部材は、その弾性部材が有する弾性力により前記装着部材に組み付けられ、弾性変形可能に保持されていることを特徴とする請求項１７に記載の布挟持用クリップ。
【請求項１９】
前記弾性部材は、弾性線材であることを特徴とする請求項１７又は１８に記載の布挟持用クリップ。
【請求項２０】
外枠と、この外枠に内嵌されて外枠との間に加工布を挟持可能な内枠とを備えた刺繍枠に用いる布挟持用のクリップにおいて、
前記外枠に着脱自在に装着される装着部材と、
前記装着部材に形成され、内枠の上面の外側稜線を含む外周面を圧縮する方向に付勢して押圧する押圧部とを、有することを特徴とする布挟持用クリップ。
【発明の詳細な説明】
【技術分野】
【０００１】
刺繍ミシンで刺繍縫製するのに用いる刺繍枠に加工布を取り付けて展張した状態で、加工布の展張保持力をより増大させるための布挟持用クリップに関する。
【背景技術】
【０００２】
刺繍ミシンにより刺繍縫製する際に、加工布を展張状態に保持する刺繍枠として、例えば、コーナー部と略ストレート部とからなるほぼ矩形状の刺繍枠が使用される。刺繍枠に加工布を取付ける際に、外枠に加工布を被せてから内枠を外枠に嵌めて外枠と内枠とで加工布を挟持し、刺繍枠の外側に出た加工布を引っ張って加工布を展張する。その後外枠に設けた２つの締付機構のネジ部材を回動させて締付機構を締め付け、内枠に対して外枠を締め付ける。
【０００３】
しかし、このような刺繍枠では、内枠の略ストレート部を外枠の略ストレート部により十分に締め付けることができない。そのため、特に布厚が薄い加工布に対して刺繍縫製を行う場合に、糸の張力により外枠と内枠の略ストレート部で挟持された加工布部分が内枠の内側に引っ張り出され、加工布に弛みが生じることとなる。その結果、縫製模様の大きさが所望のものよりも小さくなったり、ゆがみが生じたり、縫製模様の周囲の加工布にしわが生じたりし、外観上見苦しくなるという問題がある。
【０００４】
このような刺繍縫製の際に生じる加工布の弛みを減少させる対策として、内枠の外面側から内枠と加工布の上下両面を板バネ製のクリップにより挟持した後に、内枠を外枠に嵌めて加工布を挟持する技術や、特許文献１に記載された技術が知られている。
特許文献１のクリップでは、枠の平板部の上面に突出するパイプ枠を固定的に設けて、このパイプ枠の上面に合わせて加工布を展開した後、断面ほぼ６角形型の複数のクリップにより、全周にわたって加工布を挟み、加工布を展張状態に保持する。
【特許文献１】実開昭５２−２５８６３号公報
【発明の開示】
【発明が解決しようとする課題】
【０００５】
しかし、内枠の外面側から内枠と加工布とを板バネ製のクリップにより挟持する技術では、加工布を内枠に挟持するのみで、外枠に対しては何ら挟持する力が発生しないことから刺繍縫製の際に縫製に伴う振動等により、クリップがずれてしまい加工布が弛み易くなる。その弛みを直す場合に、外枠の締め付けを緩めなければクリップを外すことはできないので、外枠を装着した後に加工布を張り直すことは困難である。
【０００６】
一方、特許文献１に記載されたクリップでは、刺繍枠の幅が大きくなるので、刺繍縫製範囲が狭くなってしまう。また、加工布に十分な挟持力を付与する為には、パイプ部の径を大きくして、上方への突出量を多くする必要があり、針近辺において上方へのスペースが少ない家庭用ミシンには適用しにくい。
【０００７】
本発明の目的は、刺繍枠に展張した加工布を展張状態に保持する為の布挟持用クリップにおいて、刺繍枠の内外に張り出すことのない小形、軽量なクリップを提供すること、容易に着脱できるクリップを提供すること、刺繍縫製範囲を減少させることのないクリップを提供すること、などである。
【課題を解決するための手段】
【０００８】
請求項１の布挟持用クリップは、外枠と、この外枠に内嵌されて外枠との間に加工布を挟持可能な内枠とを備えた刺繍枠に用いる布挟持用のクリップにおいて、前記外枠に着脱自在に装着される板バネ部材と、この板バネ部材に設けられ加工布のうち外枠と内枠との間から上側へ延びる部分を内枠に押圧する為の付勢部とを備え、前記板バネ部材は、外枠の下端部に外側から係合する第１係合部と、第１係合部から上側へ立ち上がる第１板片部と、第１板片部の上端部の屈曲部から外枠の内側へ向かって下り傾斜し且つ前記付勢部が設けられた第２板片部と、第２板片部に形成され外枠の上部に内側から係合する第２係合部とを有することを特徴とするものである。
【０００９】
刺繍枠に対して布挟持用クリップを装着する際には、予め外枠と内枠との間に加工布を挟持展張した状態で、第１係合部を外枠の側面に、第２係合部を外枠の上面に当接するように置いた状態から、第１板片部が外枠側面に沿うように押圧して装着する。この状態で、板バネ部材に設けられた付勢部が、加工布のうち外枠と内枠との間から上側へ延びる部分を内枠に押圧して加工布を保持する。
【００１０】
請求項２の布挟持用クリップは、請求項１の発明において、前記付勢部の押圧方向が、第２板片部の傾斜方向と平行で且つ鉛直方向に対して鋭角となるように構成したことを特徴とする。
請求項３の布挟持用クリップは、請求項２の発明において、前記付勢部により内枠の上端のうちの外側稜線部に加工布を押圧するように構成したことを特徴とする。
【００１１】
請求項４の布挟持用クリップは、請求項１〜３の何れかの発明において、前記外枠の上部の内面が内側へ向かって下り傾斜する傾斜面に形成され、前記板バネ部材の第１板片部の一部が外枠の外面に当接し、第２板片部の一部が外枠の傾斜面に当接するように構成したことを特徴とする。
【００１２】
請求項５の布挟持用クリップは、請求項１〜４の何れかの発明において、前記外枠の下端部に係合凹部が形成されており、前記第１係合部は外枠の下端面より突出しないように前記係合凹部に係止されることを特徴とする。
【００１３】
請求項６の布挟持用クリップは、請求項１〜５の何れかの発明において、前記付勢部が弾性線材を曲げて構成したバネ部材からなり、そのバネ部材が第２板片部に装着されたことを特徴とする。
【００１４】
請求項７の布挟持用クリップは、請求項６の発明において前記バネ部材の一部が第２板片部から下方へ突出して加工布を内枠に押圧する押圧部に構成されたことを特徴とする。  請求項８の布挟持用クリップは、請求項７の発明において、前記板バネ部材にバネ部材を位置決めする為の位置決め部を設けたことを特徴とする。
【００１５】
請求項９の布挟持用クリップは、外枠と、この外枠に内嵌されて外枠との間に加工布を挟持可能な内枠とを備えた刺繍枠に用いる布挟持用のクリップにおいて、前記クリップは、外枠と内枠とに亙って着脱自在に装着され、加工布のうち外枠と内枠との間から上側へ延びる部分を内枠に押圧する為の板バネで構成され、前記外枠の下端部に外側から係合する第１係合部と、第１係合部から上側へ立ち上がる第１板片部と、第１板片部の上端部の屈曲部から外枠の内側へ延びる第２板片部と、第２板片部の先端部に設けられ内枠の上部に形成された段部に内側から係合すると共に加工布を内枠に押圧する第２係合部とを有することを特徴とする布挟持用クリップ。
【００１６】
刺繍枠に対して布挟持用クリップを装着する際には、予め外枠と内枠との間に加工布を挟持展張した状態で、板バネ部材の第１係合部を外枠の下端部に係合させ、第２係合部を内枠の段部に係合させ、第１板片部を外枠の側面に沿わせ、第２板片部を外枠と内枠の上側に沿うように装着する。この状態で、第２板片部の先端部に設けられた第２係合部が、加工布のうち外枠と内枠との間から上側へ延びる部分を内枠に押圧して加工布を保持する。外枠と内枠との間から延びた加工布は内枠の段部側へ折り返された状態で保持されるため、強く保持できる。
【００１７】
請求項１０の布挟持用クリップは、請求項９の発明において、前記外枠の下端部に係合凹部が形成されており、前記第１係合部は外枠の下端面より突出しないように前記係合凹部に係止されることを特徴とする。
【００１８】
請求項１１の布挟持用クリップは、外枠と、この外枠に内嵌されて外枠との間に加工布を挟持可能な内枠とを備えた刺繍枠に用いる布挟持用のクリップにおいて、前記外枠に着脱自在に装着される装着部材と、前記装着部材に取り付けられ、内枠の上面の外側稜線を含む外周面を圧縮する方向に付勢して押圧する押圧部材とからなることを特徴とする。
布挟持用のクリップを刺繍枠に装着する場合、予め外枠と内枠との間に加工布を挟持展張した状態で、クリップの装着部材を外枠に着脱自在に装着し、前記装着部材に取り付けられた押圧部材により、内枠の上面の外側稜線を含む外周面を圧縮する方向に付勢して押圧することで、加工布を保持する。
【００１９】
請求項１２の布挟持用クリップは、請求項１１の発明において、前記装着部材は、前記外枠への装着状態において、前記外枠外周側面と略同一面になるように前記外枠外周側面に当接する当接部を備えることを特徴とする。
【００２０】
請求項１３の布挟持用クリップは、請求項１１又は１２の発明において、前記装着部材は、前記外枠への装着状態において、前記外枠下面と略同一面になるように前記外枠下面に係止される係止部を備えることを特徴とする。
【００２１】
請求項１４の布挟持用クリップは、請求項１１〜１３の何れかの発明において、前記装着部材は、弾性変形可能な弾性部材であることを特徴とする。
請求項１５の布挟持用クリップは、請求項１４の発明において、前記弾性部材は、板バネ部材であることを特徴とする。
【００２２】
請求項１６の布挟持用クリップは、請求項１１〜１５の何れかの発明において、前記装着部材と前記押圧部材の少なくとも一方に、前記押圧部材を前記装着部材に対して組み付ける位置を決める為の位置決め部を形成したことを特徴とする。
【００２３】
請求項１７の布挟持用クリップは、請求項１１〜１６の何れかの発明において、前記押圧部材は、弾性変形可能な弾性部材であることを特徴とする。
請求項１８の布挟持用クリップは、請求項１７の発明において、前記弾性部材は、その弾性部材が有する弾性力により前記装着部材に組み付けられ、弾性変形可能に保持されていることを特徴とする。
【００２４】
請求項１９の布挟持用クリップは、請求項１７又は１８の発明において、前記弾性部材は、弾性線材であることを特徴とする。
請求項２０の布挟持用クリップは、外枠と、この外枠に内嵌されて外枠との間に加工布を挟持可能な内枠とを備えた刺繍枠に用いる布挟持用のクリップにおいて、前記外枠に着脱自在に装着される装着部材と、前記装着部材に形成され、内枠の上面の外側稜線を含む外周面を圧縮する方向に付勢して押圧する押圧部とを有することを特徴とする。
布挟持用のクリップを刺繍枠に装着する場合、予め外枠と内枠との間に加工布を挟持展張した状態で、クリップの装着部材を外枠に着脱自在に装着し、前記装着部材に形成された押圧部材により、内枠の上面の外側稜線を含む外周面を圧縮する方向に付勢して押圧することで、加工布を保持する。
【発明の効果】
【００２５】
請求項１の発明によれば、板バネ部材は、加工布のうち外枠と内枠との間から上側へ延びる部分を内枠に押圧する為の付勢部を備えているので、布挟持用クリップによって加工布を確実に挟持でき、安定した保持状態にすることができ、刺繍縫製の際の加工布の弛みを防止できる。加工布を挟み込むのではなく付勢部で生じる弾性力により加工布を押圧する構成であるので、１種類のクリップで種々の布厚の加工布を保持でき、汎用性に優れる。
【００２６】
布挟持用クリップの刺繍枠へ装着する際に、板バネ部材の第１係合部と第２係合部を外枠に係合させる構成であるので、クリップは外枠に装着できる大きさののものであればよく、クリップを小型、軽量化することでき、製作費を低減でき、家庭用ミシンの刺繍枠にも適用することができる。布挟持用クリップは外枠に装着する構成であるから、クリップが内枠の内側に突出して刺繍縫製範囲を減少させることはない。加工布を張り直す際にもクリップを容易に着脱することができる。
【００２７】
請求項２の発明によれば、付勢部の押圧方向は、第２板片部の傾斜方向と平行で且つ鉛直方向に対して鋭角であるので、内枠と加工布に対して押圧力を効果的に付加することができ、保持力を高めることができる。
【００２８】
請求項３の発明によれば、付勢部により内枠の上端のうちの外側稜線部に加工布を押圧するので、内枠と加工布を押圧する面圧を高め、保持力を高めることができ、クリップの小形化を図ることができる。
【００２９】
請求項４の発明によれば、板バネ部材の第１板片部の一部が外枠の外面に当接し、第２板片部の一部が外枠の傾斜面に当接するため、クリップを外枠に装着した状態を安定させることができ、クリップが外枠の外面と内面側に突出しないから、クリップが縫製の邪魔になることがない。
【００３０】
請求項５の発明によれば、板バネ部材の第１係合部は外枠の下端面より突出しないように外枠の下端部に形成された係合凹部に係止されるため、クリップが刺繍枠の下面外へ突出することがなく、クリップが縫製の邪魔になることがない。
請求項６の発明によれば、付勢部はバネ部材からなり、そのバネ部材が第２板片部に装着されるので、バネ部材により生じる強い弾性力で加工布を内枠に押圧できる。
【００３１】
請求項７の発明によれば、バネ部材の一部が第２板片部から下方へ突出して加工布を内枠に押圧する押圧部に構成されるので、バネ部材により生じる強い弾性力で加工布を内枠に押圧できる。
請求項８の発明によれば、板バネ部材にバネ部材を位置決めする為の位置決め部を設けたので、板バネ部材に対してバネ部材を所定の姿勢に取り付けて保持することができる。
【００３２】
請求項９の発明によれば、布挟持用のクリップは、加工布のうち外枠と内枠との間から上側へ延びる部分を内枠に押圧する為の板バネで構成されているため、クリップによって加工布を確実に挟持でき、安定した保持状態にすることができ、刺繍縫製の際の加工布の弛みを防止できる。加工布を挟み込むのではなく第２板片部と第２係合部で生じる弾性力により加工布を押圧する構成であるので、１種類のクリップで種々の布厚の加工布をクリップでき、汎用性に優れる。
【００３３】
布挟持用クリップの刺繍枠へ装着する際に、板バネ部材の第１係合部と第２係合部を外枠に係合させる構成であるので、クリップは外枠に装着できる大きさののものであればよく、クリップを小型、軽量化することでき、製作費を低減でき、家庭用ミシンの刺繍枠にも適用することができる。布挟持用クリップは外枠に装着する構成であるから、クリップが内枠の内側に突出して刺繍縫製範囲を減少させることはない。加工布を張り直す際にもクリップを容易に着脱することができる。
【００３４】
請求項１０の発明によれば、布挟持用クリップの第１係合部は外枠の下端面より突出しないように外枠の下端部に形成された係合凹部に係止されるため、クリップが外枠の下面外へ突出することがなく、クリップが縫製の邪魔になることがない。
【００３５】
請求項１１の発明によれば、外枠に着脱自在に装着される装着部材と、装着部材に取り付けられ、内枠の上面の外側稜線を含む外周面を圧縮する方向に付勢して押圧する押圧部材とからなるので、請求項１とほぼ同様の効果が得られる。
請求項１２の発明によれば、外枠への装着状態において、前記外枠外周側面と略同一面になるように前記外枠外周側面に当接する当接部を備えるので、布挟持用クリップは外枠の外面側に大きく突起しないため、邪魔になることがなく、しかもクリップを小形化することができる。
【００３６】
請求項１３の発明によれば、外枠への装着状態において、前記外枠下面と略同一面になるように前記外枠下面に係止される係止部を備えるので、クリップを刺繍枠に装着した状態においてクリップが外枠下面外に突出しないから縫製の邪魔にならない。
請求項１４の発明によれば、装着部材は、弾性変形可能な弾性部材であるので、弾性部材により生じる弾性力で加工布を内枠に確実に押圧することができる。
【００３７】
請求項１５の発明によれば、弾性部材は、板バネ部材であるので、板バネ部材が生じる弾性力により加工布を内枠に圧着させるための押圧力を内枠に与えることができる。
請求項１６の発明によれば、装着部材と押圧部材の少なくとも一方に、押圧部材を装着部材に対して組み付ける位置を決める為の位置決め部を形成したので、装着部材に押圧部材を装着した状態で押圧部材の位置を所定の位置に保持することができる。
【００３８】
請求項１７の発明によれば、押圧部材は、弾性変形可能な弾性部材であるので、弾性部材で生じる弾性力により加工布を内枠に確実に保持できる。
請求項１８の発明によれば、弾性部材は、その弾性部材が有する弾性力により装着部材に組み付けられ、弾性変形可能に保持されているので、弾性部材はガタつくことない。
【００３９】
請求項１９の発明によれば、弾性部材は弾性線材であるので、バネ等の弾性線材が生じる弾性力により加工布を内枠に押圧できる。
【００４０】
請求項２０の発明によれば、外枠に着脱自在に装着される装着部材と、装着部材に形成され且つ内枠の上面の外側稜線を含む外周面を圧縮する方向に付勢して押圧する押圧部とからなるので、請求項１１とほぼ同様の効果が得られる。加えて、押圧部が装着部材に形成されているので、クリップの構造が簡単化する。
【発明を実施するための最良の形態】
【００４１】
本発明の布挟持用のクリップは、外枠と、この外枠に内嵌されて外枠との間に加工布を挟持可能な内枠とを備えた刺繍枠に用いる布挟持用のクリップにおいて、前記外枠に着脱自在に装着される板バネ部材と、この板バネ部材に設けられ加工布のうち外枠と内枠との間から上側へ延びる部分を内枠に押圧する為の付勢部とを備え、前記板バネ部材は、外枠の下端部に外側から係合する第１係合部と、第１係合部から上側へ立ち上がる第１板片部と、第１板片部の上端部の屈曲部から外枠の内側へ向かって下り傾斜し且つ前記付勢部が設けられた第２板片部と、第２板片部に形成され外枠の上部に内側から係合する第２係合部とを有するものである。
【実施例１】
【００４２】
次に、実施例１の刺繍枠と布挟持用のクリップについて図面に基づいて説明する。
図１に示すように、刺繍枠１は、平面視にてほぼ矩形状であり外枠２と内枠３とからなる。外枠２は、水平面内に位置する略ストレート状の４つの外枠辺２ａ〜２ｄを有し、コーナー部は湾曲状である。外枠辺２ａには、刺繍ミシンの刺繍枠移動機構の駆動出力部に連結される取付け部４が設けられている。短い方の１対の外枠辺2c，２ｄには、その長さ方向の中央部で分断された被締付部５が夫々設けられ、それらの被締付部５を締め付けることにより内枠３に対して外枠２を締めつける締付機構６が夫々設けられている。
取付け部４と反対側の外枠辺２ｂには、３つの布挟持用クリップ１０が等間隔に装着され、取付け部４側の外枠辺２ａにも２つの布挟持用クリップ１０が装着されている。
【００４３】
次に、布挟持用クリップ１０について説明する。
図２〜図５に示すように、布挟持用クリップ１０は、外枠に着脱自在に装着される板バネ部材１１（装着部材に相当する）と、加工布Ｆのうち外枠２と内枠３との間から上側へ延びる部分を内枠３に押圧する為の付勢部１２とを有する。
【００４４】
板バネ部材１１は、第１係合部１４と、第１板片部１５と、第２板片部１６と、この第２板片部１６に含まれる第２係合部１７とを屈曲状に一体形成したものである。第１係合部１４は、板バネ部材１１の下端部に水平に形成されて外枠２の下端部に外側から係合するように構成されている。布挟持用クリップ１０を刺繍枠１に装着した状態では、第１係合部１４は、外枠２の下端部に形成された係合凹部１８に係合され、外枠２の下端面より突出しないようにその係合凹部１８で係止される。
【００４５】
第１板片部１５は平板状に形成され、第１板片部１５は第１係合部１４から上側へ鉛直に立ち上がり、外枠２の上端よりも上方へ延びている。第１板片部１５の高さ寸法は、外枠２の高さ寸法の約１．５倍である。外枠２の上端面は、内側へ向かって下り傾斜する（鉛直面に対して約３０度の鋭角状に傾斜）傾斜面１９に形成されている。
【００４６】
第２板片部１６は、第１板片部１５の上端部の屈曲部２０から外枠の傾斜面１９と平行に下り傾斜する平板状に形成された第２板片部本体１６ａと、この第２板片部本体１６ａの下端部から第２板片部本体１６ａの下側にＵターンして第２板片部本体１６ａの半分の高さまで延びる第２係合部１７とで構成されている。後述するように、付勢部１２は弾性線材を曲げて構成されたバネ部材１３で構成されるが、第２板片部１６には前記のバネ部材１３が装着される。
【００４７】
図６に示すように、第１板片部１５と第２板片部１６の上端部の屈曲部２０の中央部分には、第２板片部１６の長さの約１／４の長さのスリット２１が設けられ、第２板片部１６の下端部であり第２係合部１７の下端部である屈曲部２３の中央部分には、第２板片部１６の長さの約１／２の長さのスリット２２が設けられている。これらのスリット２１，２２は、バネ部材１３を装着した状態でバネ部材１３を位置決めし所定位置に保持する為の位置決め部として機能するものである。第２板片部１６に形成された第２係合部１７は、外枠２の傾斜面１９に内側から当接係合する。
【００４８】
布挟持用クリップ１０を刺繍枠１へ装着する場合、まず、布挟持用クリップ１０を外枠２の上方から被せるようにして、第２係合部１７を外枠２の傾斜面１９に当接させる。この状態では第１係合部１４の先端部は、外枠２の係合凹部１８よりも僅かに上方位置に当接した状態であり、第１板片部１５は、外枠２の側面から離間している。この状態から第１板片部１５に、外枠２の側面方向に向かって押圧力を付与すると、板バネ部材１１が弾性変形し、第１係合部１４の先端部が外枠２の係合凹部１８に入り込み、装着が完了する。
【００４９】
図４〜図６に示すように、付勢部１２としてのバネ部材１３は、内枠３の上面の外側稜線を含む外周面を圧縮する方向に押圧する押圧部材に相当するものである。このバネ部材１３は、弾性線材（例えばピアノ線）を平面内で屈曲して形成され、このバネ部材１３は、水平辺２４、この水平辺２４の両端から約３０〜４０度の角度をなすように屈曲させた１対の斜辺２５、１対の斜辺２５から約９０〜１１０度の角度をなすように夫々屈曲させた端部辺２６とを一体形成したものである。
【００５０】
前記水平辺２４の長さ方向中央部には、上方へ僅かに突出させた係合部２４ａが形成されて、斜辺２５と端部辺２６との境目の屈曲部に加工布を押圧する押圧部２７が形成されている。図６〜図８に示すように、バネ部材１３は、第２板片部１６に装着されるが、その水平辺２４が屈曲部２０に配置されて係合部２４ａがスリット２１に係合されてスリット２１の端部の位置決め部２１ａで位置決めされる。バネ部材１３の下部は第２板片部本体１６ａと第２係合部１７の間に配置され、１対の押圧部２７とその付近部分がスリット２２から下方へ突出し、１対の斜辺２５がスリット２２の端部に係合して位置決め部２２ａで位置決めされている。尚、板バネ部材１１が装着部材に相当し、バネ部材１３が押圧部材に相当するものである。
【００５１】
次に、以上説明した布挟持用クリップ１０の作用、効果について説明する。
最初に、刺繍枠１をテーブル上に置き、内枠３に加工布Ｆをセットして加工布Ｆを展開した状態にして、外枠２を内枠３に嵌めることで、内枠３と外枠２との間に加工布Ｆを挟持し、刺繍枠１の外側に延びる加工布Ｆを引っ張って加工布Ｆを展張状態にする。
次に、例えば、図１に示すように、外枠２と内枠３とで加工布Ｆを挟持する挟持力の弱い部位における布保持力を確保する為に、例えば、５個の布挟持用クリップ１０を外枠２に外嵌装着することで、加工布Ｆを保持する。
【００５２】
図８に示すように、板バネ部材１１を外枠２に装着した状態においては、第１板片部１５の下部約２／３部分が外枠２の外面に当接し、第２板片部１６の少なくとも一部が外枠２の傾斜面１９に当接状態になり、板バネ部材１１の弾性力により板バネ部材１１が外枠２に固定状態になる。
【００５３】
そして、バネ部材１３の２つの押圧部２７が、外枠２と内枠３の間から上方へ延びる加工布Ｆの部分を、内枠３の上端のうちの外側稜線部に押圧して、強く押圧して保持する。クリップ１０の装着により、バネ部材１３の水平辺２４に対して傾斜辺２５が接近方向へ弾性変形し、その弾性復元力により押圧部２７の押圧力が発生する。
【００５４】
押圧部２７は、屈曲状であり、内枠３の外側稜線部も曲率の小さい湾曲面であるため、押圧部２７により加工布Ｆを押圧する部位の接触面積が非常に小さいことから、押圧部２７で加工布Ｆを押圧する部位の面圧が非常に大きくなるため、保持力が強力となる。  即ち、小形のクリップ１０によって、強力な保持力を発生させることができる。その結果、外枠２と内枠３による挟持力が弱い部位を、このクリップ１０により強固に保持できるため、刺繍縫製の品質を高めることができる。
【００５５】
しかも、クリップ１０の外枠２への装着は板バネ部材１１により行い、加工布Ｆを押圧する保持力はバネ部材１３より発生させるように構成してあるため、板バネ部材１１をさほど大型化したり強力にする必要もなく、クリップ１０の刺繍枠１への着脱も簡単である。しかも、付勢部１２により加工布Ｆを内枠３に押圧する構造であるので、厚さの大きな加工布Ｆの場合でも、バネ部材１３の弾性変形度合いが大きくなるだけで、何ら支障なく保持することができるため汎用性に優れる。
【００５６】
使用状態において、クリップ１０の板バネ部材１１の第１板片部１５が外枠２の外面に当接し、第２板片部１６が外枠２の傾斜面１９に当接または接近しているため、クリップ１０が外枠２の外側へ突出しないし、外枠２の内側へも内枠３の内側へも突出しない。そのため、クリップ１０が刺繍枠１の外周面より外側へ突出しなければ、刺繍縫製時において、その突出部分が周囲に配置された部材等（例えば、刺繍ミシンの脚注部）に干渉することなく所定の移動範囲どおりに移動可能なので、刺繍縫製範囲が狭くなったりせず、また、クリップ１０の内枠３の内側への突出により刺繍縫製範囲が狭くなることもない。第１係合部１４が外枠の係合凹部に係合して外枠の下面から突出しないので、邪魔にならない。
【００５７】
布挟持用クリップ１０は、板バネ部材１１の第１係合部１４と第２係合部１７によって外枠２に係合させて装着されるので、クリップ１０は外枠２に装着できる大きさであればよく、クリップ１０を小形化し、軽量化し、製作費も低減できる。板バネ部材１１を大形で強力なものにする必要がないので、クリップ１０の着脱の面でも有利である。
【実施例２】
【００５８】
次に、実施例２の刺繍枠と布挟持用クリップについて図９〜図１２に基づいて説明する。但し、前記実施例とほぼ同様の構成には同一の符号を付し、異なる構成についてのみ説明する。図９に示すように、この刺繍枠１Ａの全体形状は前記刺繍枠１の全体形状とほぼ同様であるが、図１２に示すように、この刺繍枠１Ａの断面形状は、前記実施例１の刺繍枠１の断面形状とは異なっており、図１２に示すように、内枠３３の上部には、外周側部分が内周側部分より一段高く形成した段部３０が形成されている。
図９に示すように、この刺繍枠１Ａにおいては、外枠辺２ｂと内枠辺３ｂには３つの布挟持用クリップ１０Ａが等間隔に装着されており、外枠辺２ａと内枠辺３ａにも２つの布挟持用クリップ１０Ａが装着されている。
【００５９】
次に、布挟持用クリップ１０Ａの構成について図１０、図１１に基づいて説明する。
このクリップ１０Ａは、外枠３２と内枠３３とに亙って着脱自在に装着され、加工布Ｆのうち外枠３２と内枠３３との間から上側へ延びる部分を内枠に押圧する為のものであり、板バネ部材１１Ａのみで構成されている。このクリップ１０Ａとしての板バネ部材１１Ａは、第１係合部３４と、第１板片部３５と、第２板片部３６と、第２係合部３７とで一体形成されている。
【００６０】
第１係合部３４は、前記の第１係合部１４と同様に、外枠３２の下端部の係止凹部４８に外側から係合して外枠３２の下面へ突出しないように構成されている。第１板片部３５は、第１係合部３４から外枠３２の外面に沿って上側へ鉛直に立ち上がる平板状に形成されている。第１板片部３５の高さ寸法は外枠３２の高さ寸法と同程度である。
第２板片部３６は、第１板片部３５の上端部の屈曲部から外枠３２の内側へ延びているが、この第２板片部３６は、第１傾斜部３６ａと第２傾斜部３６ｂとを一体形成することで、断面ほぼ「へ」字状に形成されている。第２係合部３７は、第２板片部３６の先端部に円筒状に形成され且つ内枠３３の上部に形成された段部３０に内側から係合して加工布Ｆを内枠に押圧する。尚、前記板バネ部材１１Ａが装着部材に相当し、第１板片部３５が、クリップ１０Ａの装着状態において、外枠３２の外周側面とほぼ同一面になるように外枠３２の外周側面に当接する当接部に相当する。
【００６１】
次に、この布挟持用クリップ１０Ａの作用について説明する。
図１２に示すように、内枠３３の外面と外枠３２の内面との間に加工布Ｆを挟持した後にクリップ１０Ａを外枠３２の下端部と内枠３３の上部に外嵌させるようにして外側から装着する。第１係合部３４は外枠３２の下端面より突出しないように、外枠３２の下端部に形成された係合凹部４８に係止される。第２係合部３７はこの内枠３３の段部３０に内側の斜め上方から係合し、第１板片部３５に対する第２板片部３６の弾性変形が復元する時の弾性力により、外枠３２と内枠３３とを挟持する弾性力が発生する。
【００６２】
そして、このクリップ１０Ａでは、内枠３３と外枠３２の間から上方へ延びた加工布Ｆを内枠３２の上面の段部３０に押圧して加工布Ｆを保持する。第１，第２板片部３５，３６に生じた弾性力によって、第２係合部３７は加工布Ｆを内枠３３に押圧する強力な押圧力を発生させることができるので、刺繍縫製中に加工布Ｆが弛まなくなり、刺繍縫製の品質を高めることができる。このクリップ１０Ａは板バネ部材１１Ａにより一体的に形成されているので、刺繍枠１Ａへの着脱も簡単で、部品数も少なく、軽量であり、製作費を低減できる。加工布Ｆの厚さの変動にも対応可能であるので汎用性に優れる。その他の作用、効果については実施例１と同様である。
【実施例３】
【００６３】
次に、実施例３の刺繍枠と布挟持用クリップについて図１３〜図１５に基づいて説明する。但し、前記実施例とほぼ同様の構成には同一の符号を付し、異なる構成についてのみ説明する。このクリップ１０Ｂは、板バネにより、板バネ部材１１Ｂと付勢部１２Ｂとを一体的に形成したものである。このクリップ１０Ｂは、第１係合部５４  と、第１板片部５５と、第２板片部５６と、この第２板片部５６に含まれる第２係合部５７と、付勢部１２Ｂとを一体形成したものである。第１係合部５４と第１板片部５５は、実施例１のものとほぼ同様である。外枠５２の断面形状は実施例１のものと若干異なっており、外枠５２の傾斜面５８の上部には段部５９が形成されている。第２板片部５６は、第１板片部５５の上端から傾斜面５８の段部５９まで傾斜面と平行に下方へ延び、第２板片部５６の下端の第２係合部５７が段部５９に係合するようになっている。
【００６４】
第２板片部５６の下部には、開口部６０が形成されている。この開口部６０の両側において第２板片部５６の下端部には細幅のフランジ６１が形成され、この開口部６０の範囲においては、フランジ６１と同幅の１対の付勢部１２Ｂが形成されている。付勢部１２Ｂは、逆「へ」字状をなし、上下方向に弾性変形可能であり、各付勢部１２Ｂには、加工布Ｆを内枠５３の上端の稜線部に押圧する押圧部６２が形成されている。尚、前記の開口部６０は必須のものではなく、省略可能である。このクリップ１０Ｂは、実施例１のクリップ１０とほぼ同様の作用、効果を奏するが、板バネの材料のみで構成されているため、構成が簡単で小形化、軽量化でき、製作費の面でも有利である。前記クリップ１０Ｂが装着部材に相当し、付勢部１２Ｂが押圧部材に相当するものである。
【実施例４】
【００６５】
次に、実施例４について図１６、図１７に基づいて説明する。但し、前記実施例と同様の構成には同一の符号を付し、異なる構成についてのみ説明する。図１６に示すように、刺繍枠の外枠辺２ｂには布挟持用クリップ１０Ｃが１つ装着されており、外枠辺２ａには実施例１のクリップ１０が２つ装着されている。
【００６６】
図１７に示すように、布挟持用クリップ１０Ｃは、３つのクリップ１０の第１板片部１５を連結板部１５ａを介して一体的に連結することで、３つのクリップ１０を一体的に連結したものである。大きな刺繍枠の略ストレート部に、このような連結型の布挟持用クリップ１０Ｃを装着した場合には、外枠２の外面に当接する第１板片部１５の面積が広くなることから、外枠２に対する挟持力が高まり、クリップ１０Ｃはずれにくくなる。また、複数のクリップ１０を個別に着脱する必要がないので、着脱が容易になる。その他の構成、作用、効果については、前記実施例１と同様である。
【００６７】
次に、前記実施例を部分的に変更した変更例について説明する。
１）前記付勢部を金属製のバネ部材で構成したが、付勢部を弾性変形可能な非金属製の弾性部材で構成してもよい。
【００６８】
２）実施例４では、実施例１のクリップ１０を３つ連結したものを一体化させることとしたが、連結するクリップの数は、３つに限定されるものではない。また、実施例２, ３の布挟持用クリップ１０Ｂ，１０Ｃを複数個連結した構造のクリップに構成してもよい。
【００６９】
３）その他、当業者であれば、前記実施例に種々の変更を付加した形態で実施可能であり、本発明はそのような変更された種々の形態を包含するものである。
【産業上の利用可能性】
【００７０】
本発明は、刺繍枠に加工布を取り付けて展張した状態で、加工布の展張保持力をより増大させるための布挟持用クリップに適用することができる。
【図面の簡単な説明】
【００７１】
【図１】本発明の実施例１の刺繍枠の平面図である。
【図２】板バネ部材の正面図である。
【図３】板バネ部材の側面図である。
【図４】付勢部（バネ部材）の正面図である。
【図５】付勢部（バネ部材）の側面図である。
【図６】布挟持用クリップの正面図である。
【図７】布挟持用クリップの側面図である。
【図８】刺繍枠と加工布と布挟持用クリップの断面図である。
【図９】実施例２の図１相当図である。
【図１０】実施例２の図６相当図である。
【図１１】実施例２の図７相当図である。
【図１２】実施例２の図８相当図である。
【図１３】実施例３の図６相当図である。
【図１４】実施例３の図７相当図である。
【図１５】実施例３の図８相当図である。
【図１６】実施例４の図１相当図である。
【図１７】実施例４の図６相当図である。
【符号の説明】
【００７２】
１          刺繍枠
２，３２，５２        外枠
３，３３，５３        内枠
１０，１０Ａ，１０Ｂ，１０Ｃ      布挟持用クリップ
１１，１１Ａ        板バネ部材（装着部材）
１２，１２Ｂ        付勢部
１３        バネ部材（押圧部材）
１４，３４，５４        第１係合部
１５，３５，５５        第１板片部
１６，３６，５６        第２板片部
１７，３７，５７        第２係合部
１８，４８，        係合凹部
１９        傾斜面
２１ａ，２２ａ      位置決め部
２７，６２        押圧部
３０        段部
【図１】
2005287573.tif 000003
【図２】
2005287573.tif 000004
【図３】
2005287573.tif 000005
【図４】
2005287573.tif 000006
【図５】
2005287573.tif 000007
【図６】
2005287573.tif 000008
【図７】
2005287573.tif 000009
【図８】
2005287573.tif 000010
【図９】
2005287573.tif 000011
【図１０】
2005287573.tif 000012
【図１１】
2005287573.tif 000013
【図１２】
2005287573.tif 000014
【図１３】
2005287573.tif 000015
【図１４】
2005287573.tif 000016
【図１５】
2005287573.tif 000017
【図１６】
2005287573.tif 000018
【図１７】
2005287573.tif 000019